(57)【要約】【課題】カップを安定して支持可能であるとともに、最下部のカップを確実に分離することができるカップ分離装置を提供する。【解決手段】本発明に係るカップ分離装置は、第１の支持片２４および第２の支持片２６の、鍔付カップ１０の鍔部１０ｂ下面を支持する支持面が共に水平支持面２４ａ、２６ａに形成され、かつ、第２の支持片２６の下面が、最下部の鍔付カップ１０を落下、分離させる際、第２の支持片２６が最下部の鍔付カップ１０とその１つ上の鍔付カップ１０の鍔部１０ｂ間に進入し、第１の支持片２４による最下部の鍔付カップ１０の支持が外れた際に最下部の鍔付カップ１０の鍔部１０ｂ上面を押圧する斜めのカム面２６ｃに形成されていることを特徴とする。【選択図】図３
2008310378.tif 000002
【特許請求の範囲】
【請求項１】
鍔付カップが鍔部間に所要の隙間をあけて積層された積層カップを支持可能に、複数個のドロップカムが水平基台上に積層カップを囲むようにして夫々鉛直軸を中心に回転可能に配設され、該各ドロップカムは、所要幅で突出して形成された、前記積層カップのうちの最下部の鍔付カップの鍔部下面を支持可能な第１の支持片と、該第１の支持片と回転方向に所要角度ずれた位置に、最下部から１つ上の鍔付カップの鍔部下面を支持可能な第２の支持片とを有し、前記第１の支持片上に最下部の鍔付カップが支持された状態で積層カップが収容され、前記ドロップカムが所要方向に所要角度回転されることにより、前記第２の支持片が最下部とその１つ上の鍔付カップの鍔部間に進入するとともに前記第１の支持片による最下部の鍔付カップの支持が外れて最下部の鍔付カップが下方に落下、分離され、第２の支持片により、最下部となった鍔付カップの鍔部下面を支持して積層カップが第２の支持片上に支持され、次いで各ドロップカムが所要角度逆回転されることにより、第２の支持片による最下部の鍔付カップの支持が外れ、回り込んできた第１の支持片上に積層カップが受け渡され、待機状態となるように制御される分離装置であって、
前記第１の支持片および第２の支持片の、鍔付カップの鍔部下面を支持する支持面が共に水平支持面に形成され、かつ、前記第２の支持片の下面が、最下部の鍔付カップを落下、分離させる際、第２の支持片が最下部の鍔付カップとその１つ上の鍔付カップの鍔部間に進入し、前記第１の支持片による最下部の鍔付カップの支持が外れた際に最下部の鍔付カップの鍔部上面を押圧する斜めのカム面に形成されていることを特徴とする分離装置。
【請求項２】
各ドロップカムにギヤが設けられ、基台上に、ドロップカムの前記ギヤに噛合し、各ドロップカムを所要角度で往復回転させるに必要な歯数のギヤが部分的に設けられている駆動ギヤが配設され、該駆動ギヤを往復回動させる駆動源が設けられていることを特徴とする請求項１記載の分離装置。
【請求項３】
各ドロップカムの配置位置に合わせて、駆動ギヤに部分的に設けられたギヤが駆動ギヤの往復回動中心を中心とする同心円上となる位置に設けられていることを特徴とする請求項２記載の分離装置。
【請求項４】
駆動源が駆動モータであることを特徴とする請求項２または３記載の分離装置。
【請求項５】
駆動ギヤの周面に当接して駆動ギヤの回転を支持する複数本の回転コロが設けられていることを特徴とする請求項２〜４いずれか１項記載の分離装置。
【請求項６】
駆動ギヤの回転位置を検出して駆動モータの回転を停止する検出信号を出力するセンサが設けられていることを特徴とする請求項２〜５いずれか１項記載の分離装置。
【請求項７】
各ドロップカムは、組ごとに突出幅の異なる複数組の第１の支持片と第２の支持片の組とが、異なる回転角度エリアに設けられていることを特徴とする請求項１〜６いずれか１項記載の分離装置。
【発明の詳細な説明】
【技術分野】
【０００１】
本発明は、メダルを使用するゲーム機のメダル等の収納物を収納する鍔付カップが多数積層された積層カップからカップを１つづつ分離して取り出すことのできる分離装置（以下カップ分離装置ということがある）に関する。
【背景技術】
【０００２】
メダルを使用するゲーム機において、遊戯者はメダルをカップに収納して持ち運びしたりなどする。このカップは、鍔付のカップであり、この鍔付カップを多数積層した積層カップがカップ供給機器に収納されており、遊戯者は、カップ供給機器からカップを１つづつ取り出して用いるようにしている。すなわち、このカップ供給機器は、カップ分離装置を内蔵し、積層カップの最下部の鍔付カップを積層カップから分離し、取出口に落下させるようにしている。
なお、これらカップ分離装置は、ゲーム機に限られず、パチンコ球の収納容器、その他飲料の自動販売機における紙カップの分離装置など、広く用いられている。
【０００３】
カップ分離装置として、実用新案登録第３０７０２７６号公報に示されるものがある。
このカップ分離装置は、複数個のドロップカムにより積層カップを支持するものであり、各ドロップカムは、最下端部のカップの鍔部を係止する係止部と、その上に位置するカップの鍔部を係止する係止部とを備え、両係止部は螺旋状に形成されているものである。そして、ドロップカムが所要角度で回動されることで、最下端のカップを順次分離、落下させて取り出せるようにしている。
【特許文献１】実用新案登録第３０７０２７６号公報
【発明の開示】
【発明が解決しようとする課題】
【０００４】
しかしながら、上記カップ分離装置は、カップの鍔部を支持する係止部が螺旋状に形成されているので、カップの座りが悪く、カップ取出し時にカップが揺れ、傾いて落下するなどの不具合がある。そのため、場合によって中途部で引掛り、取出口に落下してこないなどの問題が生じることがある。比較的大きく、かつ重く、重心の高いカップの場合、補給時や分離動作時に安定した姿勢が保てることが要求される。
また、上記カップ分離装置では、係止部は単に鍔部を下方から支持しているだけであるので、係止部から外れた場合に、最下部のカップがその上のカップに食いついた状態で、分離されない事態が生じる不具合もある。
そこで、本発明は上記課題を解決すべくなされたものであり、その目的とするところは、カップを安定して支持可能であるとともに、最下部のカップを確実に分離することができる分離装置を提供することにある。
【課題を解決するための手段】
【０００５】
本発明に係る分離装置は、鍔付カップが鍔部間に所要の隙間をあけて積層された積層カップを支持可能に、複数個のドロップカムが水平基台上に積層カップを囲むようにして夫々鉛直軸を中心に回転可能に配設され、該各ドロップカムは、所要幅で突出して形成された、前記積層カップのうちの最下部の鍔付カップの鍔部下面を支持可能な第１の支持片と、該第１の支持片と回転方向に所要角度ずれた位置に、最下部から１つ上の鍔付カップの鍔部下面を支持可能な第２の支持片とを有し、前記第１の支持片上に最下部の鍔付カップが支持された状態で積層カップが収容され、前記ドロップカムが所要方向に所要角度回転されることにより、前記第２の支持片が最下部とその１つ上の鍔付カップの鍔部間に進入するとともに前記第１の支持片による最下部の鍔付カップの支持が外れて最下部の鍔付カップが下方に落下、分離され、第２の支持片により、最下部となった鍔付カップの鍔部下面を支持して積層カップが第２の支持片上に支持され、次いで各ドロップカムが所要角度逆回転されることにより、第２の支持片による最下部の鍔付カップの支持が外れ、回り込んできた第１の支持片上に積層カップが受け渡され、待機状態となるように制御される分離装置であって、前記第１の支持片および第２の支持片の、鍔付カップの鍔部下面を支持する支持面が共に水平支持面に形成され、かつ、前記第２の支持片の下面が、最下部の鍔付カップを落下、分離させる際、第２の支持片が最下部の鍔付カップとその１つ上の鍔付カップの鍔部間に進入し、前記第１の支持片による最下部の鍔付カップの支持が外れた際に最下部の鍔付カップの鍔部上面を押圧する斜めのカム面に形成されていることを特徴とする。
【０００６】
また、各ドロップカムにギヤが設けられ、基台上に、ドロップカムの前記ギヤに噛合し、各ドロップカムを所要角度で往復回転させるに必要な歯数のギヤが部分的に設けられている駆動ギヤが配設され、該駆動ギヤを往復回動させる駆動源が設けられていることを特徴とする。
また、各ドロップカムの配置位置に合わせて、駆動ギヤに部分的に設けられたギヤが駆動ギヤの往復回動中心を中心とする同心円上となる位置に設けられていることを特徴とする。
【０００７】
駆動源が駆動モータであることを特徴とする。
駆動ギヤの周面に当接して駆動ギヤの回転を支持する複数本の回転コロが設けられていることを特徴とする。
駆動ギヤの回転位置を検出して駆動モータの回転を停止する検出信号を出力するセンサが設けられていることを特徴とする。
また、各ドロップカムは、組ごとに突出幅の異なる複数組の第１の支持片と第２の支持片の組とが、異なる回転角度エリアに設けられていることを特徴とする。
【発明の効果】
【０００８】
本発明に係る分離装置によれば、第１の支持片による最下部の鍔付カップの支持が外れた際に、最下部の鍔付カップの鍔部上面が、第２の支持片の斜めのカム面によって押圧されるので、最下部の鍔付カップを確実に分離することができる。
また、第１の支持片の支持面が水平支持面に形成され、同様に第２の支持片の支持面が水平支持面に形成されているので、ゲーム機のメダルを収容するような、比較的大きく、重量もあり、重心の高いカップであっても、水平支持面上に安定して支持され、最下部の鍔付カップが上下方向に良好な姿勢を保ったまま分離落下されるので、落下経路上で引っ掛るような不具合が生じない。
【発明を実施するための最良の形態】
【０００９】
以下本発明に係る分離装置の好適な実施の形態を添付図面に基づいて詳細に説明する。
図１は鍔付カップ１０の一例を示す説明図、図２は積層カップ１２の説明図である。図３はカップ分離装置１４の概略を示す斜視図である。
鍔付カップ１０は、カップ本体１０ａの上縁に外方に突出する鍔部１０ｂを有するものである。この鍔付カップ１０は、上下のカップの鍔部１０ｂ間に所要の隙間をあけて多数積層された積層カップ１２の状態で、カップ供給機器（図示せず）に内臓されているカップ分離装置１４に収容される。
鍔付カップ１０は紙製、樹脂製、金属製など種々の材質のものが用いられる。
【００１０】
図３〜図７によりカップ分離装置１４について説明する。
１６は基台であり、中央部に鍔付カップ１０が通過可能な大きさの透孔１８が形成されている。
そして、透孔１８の周囲となる基台１６上に４個のドロップカム２０ａ、２０ｂ、２０ｃ、２０ｄが、積層カップ１２をその支持片により支持可能に配設されている。
ドロップカム２０ａ、２０ｂ、２０ｃ、２０ｄは、基台１６に立設した回転軸２２を中心に水平面内で回転自在に支持されている。
なお、ドロップカム２０は２個以上の複数であればよい。
【００１１】
各ドロップカム２０は、周面に所要幅で突出して形成された、積層カップ１２のうちの最下部の鍔付カップ１０の鍔部１０ｂ下面を支持可能な第１の支持片２４と、該第１の支持片２４と回転方向に所要角度ずれた位置に、最下部から１つ上の鍔付カップ１０の鍔部１０ｂ下面を支持可能な第２の支持片２６とを有している。
また、各ドロップカム２０の下面側にはギヤ２７が形成されている。
【００１２】
待機状態では、各ドロップカム２０の第１の支持片２４が透孔１８内に突出し、この第１の支持片２４上に積層カップ１２の最下部の鍔付カップ１０の鍔部１０ｂ下面が支持されることによって、積層カップ１２が透孔１８の上方に支持されるようになっている。なお、図示しないが、透孔１８の上方には支持筒が配置され、積層カップ１２はこの支持筒内に位置して、倒れないように支持される。
この待機状態では、第２の支持片２６は鍔付カップ１０の鍔部１０ｂを支持する位置にはない。
【００１３】
図６、図７に示すように、第１の支持片２４および第２の支持片２６の、鍔付カップ１０の鍔部１０ｂ下面を支持する支持面が共に水平支持面２４ａ、２６ａに形成されている。また、第２の支持片２６の下面が、後記するように、最下部の鍔付カップ１０を落下、分離させる際、第２の支持片２６が最下部の鍔付カップ１０とその１つ上の鍔付カップ１０の鍔部１０ｂ間に進入し、第１のカップ２４による最下部の鍔付カップ１０の支持が外れた際に最下部の鍔付カップ１０の鍔部１０ｂ上面を押圧する斜めのカム面２６ｂに形成されている。
なお、第２の支持片２６の水平支持面２６ａの先端部は、鍔部１０ｂ間に進入しやすいように、先端にいくほど低くなるテーパ面２６ｃに形成されている。
【００１４】
次に、図３において、２８はリング板状の駆動ギヤであり、透孔１８を囲むようにして基台１６上に軸線を中心として回転可能に配置され、外周部に、各ドロップカム２０のギヤ２７に噛合するギヤ２９が形成されている。３０は駆動モータであり、その回転軸３１にモータギヤ３２が固定され、モータギヤ３２が２段の減速ギヤ３３の上ギヤに噛合し、減速ギヤ３３の下ギヤ（図示されていない）が駆動ギヤ２８の外周に形成されたギヤ２９に噛合している。したがって、駆動モータ３０を駆動することによって、駆動ギヤ２８を介して各ドロップカム２０を回転させることができる。
【００１５】
なお、ドロップカム２０は所要角度範囲で往復回動される。本実施の形態では、駆動ギヤ２８の外周に設けたギヤ２９は、ドロップカム２０を所要角度範囲で往復回動させるに必要な歯数だけ、駆動ギヤ２８の外周に部分的に設けられている。もちろん、ギヤ２９は駆動ギヤ２８の全外周に亙って設けてもよいが、後記する理由により、ギヤ２９は、対応するドロップカム２０の位置等に合わせて、駆動ギヤ２８に部分的に設けるのが有利である。なお、駆動ギヤ２８は内周側にギヤを設けて、ドロップカム２０のギヤ２７に噛合させてもよい。
【００１６】
３５はモータギヤ３２に噛合するリセットギヤであり、外部から手動でモータギヤ３２を回転させることによってドロップカム２０を手動で回転させることができるようになっている。
３６は回転コロで、基台１６上に配設され、駆動ギヤ２８のギヤ２９が設けられていない外周面に当接して駆動ギヤ２８を支持していて、駆動ギヤ２８が軸振れしないようにしている。なお、回転コロでなく、単に駆動ギヤ２８の外周面に当接する当接部であってもよい。この当接部に、耐摩耗性に優れ、摩擦係数の小さな部材を貼り付けたり、熱処理等の加工処理を施すとよい。
【００１７】
次に、３８ａ、３８ｂはセンサであり、駆動ギヤ２８の外方の基台１６上に所要間隔をおいて配置されている。また、駆動ギヤ２８にはドグ４０が外方に突出するようにして配置されている。センサ３８ａ、３８ｂは、ドグ４０が近接した際にドグ４０を検出し、この検出信号が図示しない制御部に送られ、制御部によって駆動モータ３０を停止させるようにしている。
【００１８】
待機状態では、ドグ４０がセンサ３８ａのところに位置している。図示しないスイッチが投入されると駆動モータ３０が駆動され、駆動ギヤ２８が図４の矢印Ａ方向に回転し、各ドロップカム２０が矢印Ｂ方向に回転する。ドグ４０がセンサ３８ｂで検出されると駆動モータ３０が停止され、停止後所要時間経過すると駆動モータ３０が制御部により逆回転され、各ドロップカム２０が逆回転し、ドグ４０がセンサ３８ａにより検出されると駆動モータ３０が停止され、待機状態となる。この一連の制御は図示しない制御部にてなされる。センサ３８ａ、３８ｂはフォトセンサ、近接センサ、リミットスイッチ等の各種センサを用いることができる。
【００１９】
本実施の形態のカップ分離装置１４は上記のように構成されている。
上記のように、鍔付カップ１０を取り出そうと図示しないスイッチが投入されると、駆動モータ３０が駆動され、各ドロップカム２０が矢印Ｂ方向に回転される(図８)。
各ドロップカム２０が回転されることにより、第２の支持片２６が最下部とその１つ上の鍔付カップ１０の鍔部１０ｂ間に進入するとともに（図８（ｂ））、なおもドロップカム２０が回転することにより第１の支持片２４による最下部の鍔付カップ１０の支持が外れて最下部の鍔付カップ１０が下方に落下、分離される（図８（ｃ）〜図８（ｆ））。第１の支持片２４による最下部の鍔付カップ１０の支持が外れた際に、最下部の鍔付カップ１０の鍔部１０ｂ上面が、第２の支持片２６の斜めのカム面２６ｂによって押圧されるので、最下部の鍔付カップ１０が確実に分離される（図８（ｄ）〜図８（ｆ））。
【００２０】
一方、回り込んできた第２の支持片２６により、最下部となった鍔付カップ１０の鍔部１０ｂ下面が支持され、積層カップ１２全体が第２の支持片２６上に支持される状態となる（図８（ｆ））。この状態でドグ４０がセンサ３８ｂによって検出され、駆動モータ３０が停止される。上記のように、所要時間経過すると駆動モータ３０が逆回転され、各ドロップカム２０が逆回転されることにより、第２の支持片２６による最下部の鍔付カップ１０の支持が外れ、回り込んできた第１の支持片２４上に積層カップ１２が受け渡される。この状態でドグ４０がセンサ３８ａにより検出され、駆動モータ３０が停止され、待機状態となる。
【００２１】
なお、本実施の形態では、第１の支持片２４の支持面が水平支持面２４ａに形成され、同様に第２の支持片２６の支持面が水平支持面２６ａに形成されているので、ゲーム機のメダルを収容するような、比較的大きく、重量もあり、重心の高いカップであっても、水平支持面上に安定して支持され、最下部の鍔付カップ１０が上下方向に良好な姿勢を保ったまま分離落下されるので、落下経路上で引っ掛るような不具合が生じない。
なお、手動リセットギヤ３５は、カップ１０の形状不具合等により装置がロックしたり、分離動作がうまく行われないとき、外部からリセットギヤの露出部に手動にて回転を与えることにより、ロックの解除またはリセットができるようにしている。
【００２２】
上記実施の形態では、駆動ギヤ２８をギヤ２９を介して直接駆動モータ３０によって駆動するようにしたが、レバーやリンク機構を介して駆動するなどしてもよい。またモータでなく、エアシリンダなどの駆動源によって駆動してもよい。また、各ドロップカム２０の駆動は、リング板状の駆動ギヤ２８でなく、タイミングベルト等で同期して駆動するようにしてもよい。
【００２３】
図９は、ドロップカム２０の他の実施の形態を示す説明図である。
本例のドロップカム２０（１つのみ図示）では、組ごとに突出幅の異なる複数組（本例では３組）の第１の支持片２４と第２の支持片２６の組を、周面の異なる回転角度エリア（本例では１２０度ずつずれた３つのエリアＡ、Ｂ、Ｃ）に設けている。
第１の支持片２４と第２の支持片２６の突出幅を、エリアＡ、エリアＢ、エリアＣの順に大きくなるようにしている。これにより、種々の大きさ（直径）の鍔付カップの分離を、ドロップカム２０を組み替えなくとも行うことができる。なお、各ドロップカム２０のエリアＡ、エリアＢ、エリアＣを個別に使用する切替えを、制御部で行えるようにする必要がある。
【００２４】
図１０、図１１はカップ分離装置１４のそれぞれ他の実施の形態を模式的に示す説明図である。
図３に示すものと同一の部材は同一の符号をもって示す。
図１０の実施の形態では、横断面が矩形の鍔付カップ１０の分離装置１４の例を、図１１の実施の形態では横断面が三角形の鍔付カップ１０の分離装置１４の例を示す。各ドロップカム２０が第１の支持片２４、第２の支持片２６を備えるものであり、原理は図３に示すものと同じである。このように、各ドロップカム２０の取付け位置を変えたり、第１の支持片２４、第２の支持片２６の突出幅や形状を変えることによって、種々の形状の鍔付カップの分離装置とすることができる。
【００２５】
次に、前記したように、駆動ギヤ２８の外周に設けるギヤ２９は、ドロップカム２０を所要角度範囲で往復回動させるに必要な歯数だけ、ドロップカム２０の大きさ、位置等に合わせて駆動ギヤ２８の外周に部分的に設けるのが有利な点について以下説明する。
【００２６】
各ドロップカム２０は、同期してカップを落下させる等のために、その各第１の支持片２４、第２の支持片２６が同一の角度配置位置になるように正確に位置決めして設置する必要がある。
【００２７】
ギヤ２９を部分的に形成する場合、次のような手順を採用できる。
まず、例えば、待機状態の支持片２４の位置を基準に考えたとき、そのときの支持片２４のカップ１０との接点と、カップ１０を落下させる透孔１８の仮想中心点とを結ぶ中心線上に、ギヤ２７の中心軸があり、さらにその中心線上の内側（外周にギヤ２９を設ける場合）に、ギヤ２７の１枚の歯の山（もしくは谷）を一致させておく。
ギヤ２９の加工位置は、１つの歯の谷（もしくは山）を基準に、回転させたい角度から算出した歯数以上の歯を、時計回り側、および反時計回り側に加工すればよい。
ギヤ２７とギヤ２９のそれぞれ基準とした歯を合わせてドロップカム２０の位置決めをし、組み付けるようにすればよい。
【００２８】
すなわち、ドロップカム２０の取付け位置さえ決まれば、駆動ギヤ２８におけるギヤ２９位置が決まり、これに合わせて、各ドロップカム２０に対応するギヤ２９を個別に形成すればよい。したがって、ドロップカム２０位置を、空間的な障害を避けるようにして自在な位置に決定でき、設計の自由度が向上する。また、ドロップカム２０の大きさに合わせて、ギヤ２９のピッチなどを決めることもできる。
【００２９】
このように、ドロップカム２０の位置、大きさなどに合わせて、ギヤ２９の位置や歯数を決めるように駆動ギヤ２８を加工すればよいので、駆動ギヤ２８は、例えば図１２のような異形の駆動ギヤ２８とすることもできる。図１２に示す駆動ギヤ２８は、各ドロップカム２０の配置位置に合わせて、ギヤ２９が駆動ギヤ２８の往復回動中心を中心とする同心円上となる位置に設けられている。このように、ドロップカム２０を任意の位置に配置できるので、異形のカップ１０の分離装置として好適に構成できる。
【００３０】
この点、駆動ギヤ２８の全周に亙って一定ピッチでギヤ２９を形成した場合、ドロップカム２０を同期して駆動するためには、ドロップカム２０を駆動ギヤ２８のピッチに合わせて配置しなければならず、設計の自由度に欠け、また、正確に同期して駆動させるのが必ずしも容易でないのである。
【００３１】
次に、ドロップカム２０の第１の支持片２４と第２の支持片２６の高さ位置を変えることにより、図１３のような、鍔部１０ｂが同一平面上にない異形のカップ１０の分離も行える。もちろん、カップ１０は上下方向に積み重ねることができる形状であることが条件となる。この場合、駆動ギヤ２８のギヤ２９の高さ位置も各ドロップカム２０に合わせて変更することができる。
【図面の簡単な説明】
【００３２】
【図１】鍔付カップの一例を示す説明図である。
【図２】積層カップの説明図である。
【図３】カップ分離装置の斜視図である。
【図４】カップ分離装置の平面図である。
【図５】ドロップカムの平面図である。
【図６】ドロップカムの正面図である。
【図７】ドロップカムの側面図である。
【図８】ドロップカムが駆動された場合の各支持片の位置を示す説明図である。
【図９】ドロップカムの他の実施の形態を示す平面説明図である。
【図１０】カップ分離装置の他の実施の形態を示す説明図である。
【図１１】カップ分離装置のさらに他の実施の形態を示す説明図である。
【図１２】異形の駆動ギヤを用いた実施の形態を示す説明図である。
【図１３】異形のカップの他の例を示す説明図である。
【符号の説明】
【００３３】
１０  鍔付カップ
１０ａ  カップ本体
１０ｂ  鍔部
１２  積層カップ
１４  カップ分離装置
１６  基台
１８  透孔
２０、２０ａ〜２０ｄ  ドロップカム
２２  回転軸
２４  第１の支持片
２６  第２の支持片
２７  ギヤ
２８  駆動ギヤ
２９  ギヤ
３０  駆動モータ
３１  回転軸
３２  モータギヤ
３３  減速ギヤ
３５  手動リセットギヤ
３６  回転コロ
３８ａ、３８ｂ  センサ
４０  ドグ
【図１】
2008310378.tif 000003
【図２】
2008310378.tif 000004
【図１０】
2008310378.tif 000005
【図１１】
2008310378.tif 000006
【図１２】
2008310378.tif 000007
【図１３】
2008310378.tif 000008
【図３】
2008310378.tif 000009
【図４】
2008310378.tif 000010
【図５】
2008310378.tif 000011
【図６】
2008310378.tif 000012
【図７】
2008310378.tif 000013
【図８】
2008310378.tif 000014
【図９】
2008310378.tif 000015